(57)【要約】【課題】石抜装置等を精米装置の側方に設置しても、精米作業や追加された所望の作業が可能な穀物調整装置を提供する。【解決手段】穀物調整装置１は、玄米から小石を除去する石抜装置１０と、この装置からの玄米を白米にする精米装置３０を有する。石抜装置１０は、上部が開口して側部に排出口を備えた箱状の本体部と、これ内に着脱可能に装着される石抜側ホッパと、本体部の前板、後板のいずれに着脱可能に取り付けられる張込板を有し、石抜側ホッパは、本体部に対して前後反転して挿着可能である。精米装置３０は、石抜装置１０からの玄米を上方に搬送する搬送部３１と、この側方に配設された搬送部３１からの玄米を白米にする搗精部３５を有し、搬送部３１と搗精部３５を取り付けた枠組み６１は、左右方向に入れ替え可能である。搗精部３５の下方に小米取り部５０を設け、小米取り部５０は、精米装置３０の前方、左右一方側及び他方側のいずれかの方向に向いて配設可能である。【選択図】図２
2008290040.tif 000002
【特許請求の範囲】
【請求項１】
供給された玄米から小石を除去する石抜装置と、該石抜装置から供給される玄米を精米して白米にする精米装置とを有した穀物調整装置であって、
前記石抜装置は、精米装置幅方向の両側のいずれに設置されて前記精米装置に結合されることを特徴とする穀物調整装置。
【請求項２】
前記石抜装置は、上部が開口して一方側の側部に排出口を備えた箱状の本体部と、該本体部の上部開口部から挿入されて前記本体部内に着脱可能に装着されて玄米が供給される石抜側ホッパと、前記本体部の前板及び後板のいずれに着脱可能に取り付けられて玄米を収容した袋を載置可能な張込板とを有し、
前記石抜側ホッパは、前記本体部に対して前後方向の向きを反転して装着可能であることを特徴とする請求項１に記載の穀物調整装置。
【請求項３】
前記精米装置は、前記石抜装置から供給される玄米を上方に搬送する搬送部と、前記搬送部の側方に配設されて前記搬送部から供給される玄米を精米して白米にする搗精部とを有し、
前記搬送部と前記搗精部は、精米装置幅方向に入れ替えて設置可能であることを特徴とする請求項１又は２に記載の穀物調整装置。
【請求項４】
前記搗精部から排出される白米から小米等を除去するとともに、小米等を除去した白米を排出する小米取り部を設け、
前記小米取り部は、前記精米装置の前方側、精米装置幅方向の一方側及び他方側のいずれかの方向に向いた姿勢で前記精米装置に配設可能であることを特徴とする請求項３に記載の穀物調整装置。
【請求項５】
前記搬送部によって搬送された玄米を収容して前記搗精部に前記玄米を供給する精米側ホッパを設け、前記精米側ホッパの精米装置幅方向の両側に、前記搬送部の上部に設けられた吐出口と接続されて連通する接続口を設けたことを特徴とする請求項３又は４に記載の穀物調整装置。
【請求項６】
前記精米側ホッパに、該精米側ホッパ内の玄米の有無を検知する玄米有無検知手段を設け、前記玄米有無検知手段からの検知信号に応じて前記石抜装置のオンオフ作動を制御する制御装置を設けたことを特徴とする請求項５に記載の穀物調整装置。
【発明の詳細な説明】
【技術分野】
【０００１】
本発明は、供給された玄米から小石を除去する石抜装置と、該石抜装置によって小石が除去された玄米を精米して白米にする精米装置とを備えた穀物調整装置に関する。
【背景技術】
【０００２】
従来、穀物調整装置として、特許文献１に示すように、昇降機、精米機、小米取り機等を備えた精米装置と石抜装置とがセットで提供されているものが知られている。
【０００３】
この穀物調整装置８０は、図６（斜視図）に示すように、直方体状の機枠８１を備え、機枠８１の略全体にはカバー８２が着脱可能に装着されている。機枠正面の左側下部には、箱状のケース８３が着脱自在に取り付けられ、ケース８３の下部に設けられた複数のキャスタ８４によってケース８３は移動可能である。ケース８３内の上部には供給ホッパ８５が設けられ、ケース８３の前部には米袋を載置可能な米袋台８６が設けられて、米袋内の玄米は、供給ホッパ８５に供給されて、ケース８３の下部から下方へ排出される。米袋台８６はケース８３の前側に対して上下方向に回動自在に取り付けられている。
【０００４】
ケース８３内の下部には、比重選別式の石抜装置８７（文献では石抜選別機）が設けられている。この石抜装置８７はケース８３の正面側及び裏面側にスライド移動可能であり、米袋台８６を上側へ回動させて開口したケース正面の下部から石抜装置８７をスライドさせると、石抜装置８７を供給ホッパ８５の下方に設置することができる。
【０００５】
機枠８１内には、石抜装置８７によって小石等が除去された玄米を装置の上端部まで搬送する第１昇降機と、第１昇降機から供給される玄米を収容する玄米タンクと、玄米タンクから供給される玄米を精米して白米にする精米機と、精米機によって精米された白米から小米等を除去する小米取り装置（文献では砕米選別機）と、小米取り装置によって小米等が除去された白米を装置の上端部まで搬送する第２昇降機と、第２昇降機から供給される白米を収容する色選タンクと、色選タンクから供給される白米から着色米や異物を除去する色彩選別機８８と、色彩選別機８８によって着色米等が除去された白米を装置の上端部まで搬送して装置正面の上部から排出する第３昇降機８９が設けられている。
【０００６】
【特許文献１】特開２００５−３３４７３１号公報
【発明の開示】
【発明が解決しようとする課題】
【０００７】
この従来の穀物調整装置８０では、石抜装置８７が穀物調整装置８０の機枠前方に配置されているが、穀物調整装置８０の設置場所によっては、玄米を石抜装置８７に供給して第１昇降機に排出する流れの方向が機枠幅方向と同一方向にした方が使い勝手がよくなる場合がある。このような場合、従来の穀物調整装置８０では、機枠８１内に設けられた第１昇降機や玄米タンク等の機器は機枠８１内の所定位置にのみ設置可能に構成されているため、石抜装置８７を機枠８１の側方に配置しても、第１昇降機や玄米タンク等の機器の設置位置の変更ができないため、石抜装置８７から第１昇降機に玄米を供給することができず、その結果、精米作業ができないという不都合が発生する。
【０００８】
また従来の穀物調整装置８０では、精米工程の後に白米を計量して袋詰めする工程を設けるために計量機ユニットを穀物調整装置幅方向の一方側端部に設置する場合、第３昇降機８９の排出部８９ａが機枠８１の正面よりも前方に突出して配設されているため、計量機ユニットの製品タンクが機枠の正面よりも後方位置に配置されている状態で、排出部８９ａから排出される白米を計量機ユニットに供給するための直線状の管を排出部８９ａと製品タンクとの間で連結しようとすると、管の途中が機枠８１に接触して、排出部８９ａと製品タンクと繋ぐことができないという不都合が発生する。
【０００９】
本発明は、このような課題に対してなされたものであり、精米装置の側方に石抜装置や計量機ユニット等の特定機械を設置しても、精米作業や追加された所望の作業が可能な穀物調整装置を提供することを目的とする。
【課題を解決するための手段】
【００１０】
このような課題を解決するため、本発明は、以下の特徴を有する。特徴の一つは、供給された玄米から小石を除去する石抜装置と、該石抜装置から供給される玄米を精米して白米にする精米装置とを有した穀物調整装置であって、石抜装置は、精米装置幅方向の両側のいずれに設置されて精米装置に結合されることを特徴とする。
【００１１】
この特徴によれば、石抜装置は精米装置の幅方向両側のいずれに設置されて該精米装置に結合されることにより、石抜装置を精米装置幅方向の両側のいずれに設置しても、石抜装置によって小石が除去された玄米が精米装置に供給されて、玄米を精米して白米にすることができる。従って、石抜装置を精米装置幅方向の両側のいずれに設置しても精米作業が可能な穀物調整装置を提供することができる。
【００１２】
また特徴の一つは、石抜装置は、上部が開口して一方側の側部に排出口を備えた箱状の本体部と、該本体部の上部開口部から挿入されて本体部内に着脱可能に装着されて玄米が供給される石抜側ホッパと、本体部の前板及び後板のいずれに着脱可能に取り付けられて玄米を収容した袋を載置可能な張込板とを有し、石抜側ホッパは、本体部に対して前後方向の向きを反転して装着可能であることを特徴とする。
【００１３】
この特徴によれば、石抜側ホッパは本体部に対して前後方向の向きを反転して本体部内に装着可能であることにより、石抜装置を精米装置の幅方向一方側から他方側に移動して設置する場合、石抜装置の排出口が精米装置側に向くように本体部を前後方向に反転するとともに、石抜側ホッパを本体部に対して前後方向に反転して本体部に装着する。このため、石抜装置の精米装置に対する精米装置幅方向の設置位置を変えても、石抜装置を精米装置に結合することができるとともに、石抜側ホッパを本体部に対して常に所定の向きに装着することができる。
【００１４】
また特徴の一つは、精米装置は、石抜装置から供給される玄米を上方に搬送する搬送部と、搬送部の側方に配設されて搬送部から供給される玄米を精米して白米にする搗精部とを有し、搬送部と搗精部は、精米装置幅方向に入れ替えて設置可能であることを特徴とする。
【００１５】
この特徴によれば、精米装置の搬送部及び搗精部の精米装置幅方向の設置位置が入れ替え可能であることにより、石抜装置を精米装置幅方向の一方側又は他方側に設置する場合、石抜装置の設置位置に応じて搬送部と搗精部の設置位置を変更することで、石抜装置を精米装置の幅方向のいずれに設置しても、石抜装置を精米装置に結合することができ、石抜装置からの玄米を精米装置に供給して精米して白米にすることができる。
【００１６】
また特徴の一つは、搗精部から排出される白米から小米等を除去するとともに、小米等を除去した白米を排出する小米取り部を設け、小米取り部は、精米装置の前方側、精米装置幅方向の一方側及び他方側のいずれかの方向に向いた姿勢で精米装置に配設可能であることを特徴とする。
【００１７】
この特徴によれば、搗精部から排出される白米から小米等を除去した白米を排出する小米取り部を設け、小米取り部は、精米装置の前方側、精米装置幅方向の一方側及び他方側のいずれかの方向に向いた姿勢で精米装置に配設可能であることにより、小米等を除去した白米を小米取り部から精米装置の前方側、精米装置幅方向の一方側及び他方側のいずれかの方向に排出することができる。このため、精米工程の後に着色米や異物を除去する色彩選別工程を行うための色彩選別機や精米工程の後に白米を計量して袋詰めする計量機ユニットを、精米装置の前方、精米装置幅方向の一方側及び他方側のいずれかの位置に設置することができ、穀物調整装置の使い勝手をより向上することができる。
【００１８】
また特徴の一つは、搬送部によって搬送された玄米を収容して搗精部に玄米を供給する精米側ホッパを設け、精米側ホッパの精米装置幅方向の両側に、搬送部の上部に設けられた吐出口と接続されて連通する接続口を設けたことを特徴とする。
【００１９】
この特徴によれば、精米側ホッパの精米装置幅方向の両側に、搬送部の吐出口と接続される接続口を設けることにより、石抜装置が精米装置幅方向の両側のいずれの位置に設置されても、石抜装置から搬送部に供給された玄米を確実に精米側ホッパに供給することができる。
【００２０】
また特徴の一つは、精米側ホッパに、該精米側ホッパ内の玄米の有無を検知する玄米有無検知手段（例えば、実施形態におけるセンサ７３）を設け、玄米有無検知手段からの検知信号に応じて石抜装置のオンオフ作動を制御する制御装置を設けたことを特徴とする。
【００２１】
この特徴によれば、該精米側ホッパ内に玄米有無検知手段を設け、玄米有無検知手段からの検知信号に応じて石抜装置のオンオフ作動を制御する制御装置を設けることにより、精米側ホッパ内に玄米がないときに石抜装置が停止状態にあり、また精米側ホッパ内に玄米があるときに石抜装置が運転状態にある事態を防止することができる。このため、精米作業が途切れたり、精米側ホッパ内の玄米が溢れたりする事態を未然に防止することができ、穀物調整装置による精米作業の作業性を向上することができる。
【発明の効果】
【００２２】
本発明に係わる穀物調整装置によれば、上記特徴を有することで、精米装置の側方に石抜装置や計量機ユニット等の特定機械を設置しても、精米作業や追加された所望の作業が可能な穀物調整装置を提供することができる。
【発明を実施するための最良の形態】
【００２３】
以下、本発明の穀物調整装置の好ましい実施の形態を図１から図５に基づいて説明する。なお、説明の都合上、図１（外観斜視図）及び図２（内部構造図）に示す矢印の方向を前後方向及び左右方向として以下説明する。
【００２４】
穀物調整装置１は、図１及び図２に示すように、供給された玄米から小石を除去する石抜装置１０と、石抜装置１０から供給される玄米を精米して白米にする精米装置３０とを有して構成される。
【００２５】
石抜装置１０は、上部が開口して内部が中空な箱状の本体部１１を備える。本体部１１は、平面視において正方形状に形成され、その右側の側板１１ａの中央下部には外側へ突出する排出口（図示せず）が設けられ、本体部１１の前板１１ｂの上下方向中間部には玄米が収容された袋を載置可能な張込板１２が着脱可能に取り付けられている。この張込板１２は本体部１１の後板１１ｃの上下方向中間部にも着脱可能に取り付けることができるようになっている。なお、本体部１１は、平面視において正方形状に限るものではなく、本体部１１内に後述する石抜側ホッパ１５を着脱可能に装着できれば、平面視矩形状、円形状等の任意の形状にすることができる。
【００２６】
本体部１１内の上部には、本体部１１の上部に開口した上部開口部１１ｄから挿入されて玄米が供給される前述した石抜側ホッパ１５が装着されている。この石抜側ホッパ１５は、逆四角錐状に形成され、平面視において正方形状であり、その左右両側部及び後部の各上端には上方へ延びる枠体１６が取り付けられている。これらの枠体１６は連続的に接続されて、石抜側ホッパ１５の上部に開口する開口部１７の前側を除き、枠体１６が開口部１７の左右両側及び後側を囲んでいる。つまり、石抜側ホッパ１５は、枠体１６が設けられていない側が石抜側ホッパ１５の前側となっている。枠体１６は、石抜側ホッパ１５が本体部１１に装着されると、本体部１１の上端から上方へ突出して、石抜装置１０の前側から石抜側ホッパ１５内への玄米の供給をし易くするとともに、石抜側ホッパ１５に張込まれた玄米のこぼれ落ちを抑制している。
【００２７】
石抜側ホッパ１５は、石抜装置１０の本体部１１に対して前後方向に１８０°反転して挿着可能である。このため、石抜装置１０を精米装置３０の左側から右側に移動して設置する場合、詳細については後述するが、石抜装置１０の本体部１１の排出口が左側に向くように本体部１１の前後方向を１８０°反転した状態で、前側を前方に向けた石抜側ホッパ１５を反転された本体部１１に装着する。
【００２８】
本体部１１内の下側には、傾斜した網状部材を備えて玄米を比重選別して、玄米から小石を除去する小石除去部（図示せず）が設けられている。この小石除去部によって小石が除去された玄米は、本体部１１に設けられた排出口に移動するようになっている。
【００２９】
精米装置３０は、石抜装置１０から供給される玄米を上方に搬送するバケットベルト方式の搬送部３１と、搬送部３１の右側上部に配設されて搬送部３１から送り出された玄米を収容する精米側ホッパ３３と、搬送部３１の右側に配設されて精米側ホッパ３３から供給される玄米を精米して白米にする搗精部３５と、搬送部３１よりも右側であって搗精部３５の下方に配設されて搗精部３５から排出された白米から小米等を除去する小米取り部５０とを有して構成されている。精米装置３０の下部に配設された底板６０の中央部には、上方へ延びる枠組み６１がボルト等の締結手段を介して底板６０に着脱可能に取り付けられ、この枠組み６１に精米側ホッパ３３、搗精部３５、小米取り部５０が取り付けられている。
【００３０】
底板６０上には、搬送部３１や搗精部３５等が取り付けられた枠組み６１を囲む枠体（図示せず）が取り付けられ、この枠体の前後両側、左右両側及び上側にパネル６２，６３，６４，６５，６６が着脱可能に取り付けられている。前側のパネル６２の上部には操作部６８が設けられ、パネル６２の上下方向中間部には精米された白米を排出する排出シュート６９が設けられ、パネル６２の下部には小米受け箱７０が出し入れ可能に設けられている。左右の各側板６４，６５は、下側に着脱可能な下部側板（図示せず）を備え、下部側板を取り外すと、枠体内に設けられた搬送部３１の下部に設けられた取入口が露出して石抜装置１０から排出される玄米を搬送部３１に供給することが可能になる。なお、側板６４，６５の下側に孔部（図示せず）を設け、この孔部を塞ぐ蓋板（図示せず）を孔部に着脱可能に取り付け、石抜装置１０から排出される玄米を搬送部３１に供給するときに、蓋板を孔部から取り外すようにしてもよい。
【００３１】
左右の各側板６４，６５の上下方向中間部には、排出シュート６９が取り付け可能な取付口（図示せず）が設けられている。この取付口は、非使用時には図示しない蓋板によって塞がれ、使用時に、この蓋板が取り外されて取付口が開口した状態になる。
【００３２】
搬送部３１は、底板６０の左側上面にボルト等の締結手段を介して着脱可能に取り付けられている。搬送部３１及び枠組み６１は、図３（内部構造図）に示すように、底板６０に対して左右方向に入れ替えて底板６０に取り付け可能である。つまり、搬送部３１と枠組み６１に取り付けられた精米側ホッパ３３、搗精部３５、小米取り部５０等は、底板６０に対して左右方向に入れ替えて設置可能である。
【００３３】
精米側ホッパ３３は、逆角錘状に形成され、その左右両側の側板３３ａには、搬送部３１の上部に設けられた吐出口３１ａに接続されて連通する矩形状の接続口３３ｂが設けられている。接続口３３ｂは、吐出口３１ａと接続されていないときは、蓋部材３３ｃによって覆われるように構成されている。
【００３４】
搗精部３５には、精米側ホッパ３３から供給される玄米を横方向に搬送して搗精部３５に供給する横送り機構部３６が取り付けられている。横送り機構部３６は、図４（ａ）（内部構造図）に示すように、螺旋型スクリュー３７とこれを回転させるモータ３８と精米側ホッパ３３から供給される玄米を螺旋型スクリュー３７の上流側に供給する供給口３９を備える。
【００３５】
搗精部３５は、図４（ｂ）（断面図）に示すように、筒状の搗精ケース４１と搗精ケース４１の上部に取り付けられたベアリングケース４２と、これらのケース内に回転自在に支持された搗精軸４４を有する。搗精ケース４１内部の中央部には筒状に形成されて搗精ケース４１の長手方向に延びる網部材４５が取り付けられている。網部材４５の内側は搗精軸４４が挿通可能な搗精室４６が形成されている。ベアリングケース４２の内部には搗精軸４４を挿通可能な挿通孔４３が形成され、挿通孔４３は搗精室４６に連通している。この連通状態にある挿通孔４３及び搗精室４６に挿通軸４４が挿通されて回転自在に支持されている。
【００３６】
挿通軸４４は、上側から第１搗精スクリュー４４ａ、研削ロール４４ｂ、第２搗精スクリュー４４ｃ、摩擦ロール４４ｄを配置して、図３に示す枠組み６１に取り付けられた主モータ４７によって回転駆動可能である。搗精部３５の下方には環状の抵抗部（図示せず）が搗精軸４４の軸心方向に沿って移動可能に設けられている。この抵抗部は搗精部３５に取り付けられた駆動装置４９によって上下方向に移動されて、搗精部３５から排出される白米の排出路の断面積を変えて白米の搗精度の調節を行う。
【００３７】
このように構成された搗精部３５は、横送り機構部３６によってベアリングケース４２内に送り込まれた玄米を第１搗精スクリュー４４ａによって押圧しながら搗精室４６内に送り込む。搗精室４６に送り込まれた玄米は、研削ロール４４ｂによって搗精された後に第２搗精スクリュー４４ｃによって下方へ押圧されながら摩擦ロール４４ｄによってさらに搗精され、抵抗部４８を通って排出される。ここで、搗精室４６内にて玄米から除去された糠は、精米装置３０に接続された図示しない集塵機糠によって吸引されて網部材４５を通過して搗精ケース４１内の空間部４１ａを通って集塵機に送り込まれる。
【００３８】
一方、抵抗部４８から送り出された白米は自然落下して小米取り部５０に供給される。小米取り部５０では、図１及び図３に示すように、供給された白米から小米等を除去し、小米等が除去された白米は排出シュート６９を通って外部に排出され、小米等は小米取り部５０から下方へ自然落下して、小米取り部５０の下方に設置された小米受け箱７０内に収容される。
【００３９】
小米取り部５０は、その下方位置に配設される小米取ベース板５１を介して枠組み６１に取り付けられている。小米取ベース板５１は、下面が開口して内部が中空な箱状に形成され、その後板５１ａがボルト等の締結手段を介して枠組み６１に着脱可能に取り付けられるようになっている。また小米取ベース板５１は、その左右の両側板５１ｂのいずれもが後板５１ａと同様にボルト等の締結手段を介して枠組み６１に着脱可能に取り付けられるようになっている。このため、小米取ベース板５１の右側の側板５１ｂを枠組み６１に取り付けると、小米取り部５０は右側に向きを変えた姿勢になって、精米された白米を精米装置３０の右側に排出することができる。また小米取ベース板５１の左側の側板５１ｂを枠組み６１に取り付けると、小米取り部５０は左側に向きを変えた姿勢になって、精米された白米を精米装置３０の左側に排出することができる。
【００４０】
次に、石抜装置１０を精米装置３０の左側から右側に設置する場合について説明する。先ず、図１に示す石抜装置１０の本体部１１を前後方向に１８０°反転させて排出口を左側に向ける。また石抜側ホッパ１５を本体部１１から取り出し、石抜側ホッパ１５を前後方向に１８０°反転させて石抜側ホッパ１５の前側が前方に向いた姿勢にして本体部１１に装着する。さらに張込板１２を前板１１ｂから取り外して後板１１ｃに取り付ける。
【００４１】
一方、精米装置３０では、搗精部３５等が取り付けられた枠組み６１と搬送部３１を左右方向に入れ替えて底板６０に取り付ける。また搬送部３１の吐出口３１ａを精米側ホッパ３３の右側の接続口３３ｂに接続し、左側の接続口３３ｂを蓋部材３３ｃで覆う。なお、枠組み６１と搬送部３１を入れ替える際、図示しない枠体が底板６０に取り付けられた状態で枠組み６１と搬送部３１の入れ替え作業が可能であれば、枠体を底板６０から取り外す必要はない。この場合には、枠体からパネル６２，６４，６５等を取り外す。また枠体を底板６０から取り外さなければ枠組み６１と搬送部３１の入れ替え作業ができなければ、枠体を底板６０から取り外す。
【００４２】
そして、枠組み６１と搬送部３１の入れ替え作業が終わると、取り外されたパネル６２、６４，６５等を枠体に取り付ける。この際、右側のパネル６５の下部側板を取り外す。そして、図５（斜視図）に示すように、石抜装置１０を精米装置３０の右側に設置し、石抜装置１０の排出口と搬送部３１の取入口とを結合した状態にして、石抜装置１０の設置作業を終了する。なお、石抜装置１０の設置方法は前述した場合に限るものではなく、石抜装置１０を精米装置３０の右側に移動させてから、石抜装置１０の本体部１１と石抜側ホッパ１５を反転させて石抜装置１０を精米装置３０に結合するようにしてもよい。
【００４３】
このように、本願の穀物調整装置１は、石抜装置１０を精米装置３０の右側及び左側のいずれに設置しても、石抜装置１０によって小石が除去された玄米を精米装置３０に供給可能に構成されているので、石抜装置１０を精米装置３０の左右両側のいずれかに設置した方が使い易くなる設置場所では、石抜装置１０を精米装置３０の左右両側のいずれかに設置することができ、精米作業の作業性を向上することができる。
【００４４】
また小米取り部５０は、小米取ベース板５１を介して精米装置３０の前方側、左方向側、右方向側のいずれかの方向に向いた姿勢で精米装置３０内に配設可能であるので、搗精部３５から排出される白米の排出方向を精米装置３０の前方、左方向、右方向のいずれかの方向にすることができる。このため、精米工程の後に着色米や異物を除去する色彩選別工程や白米を計量して袋詰めする工程を設けるために、色彩選別機や計量機ユニットを精米装置３０の側方に設置し、精米装置３０の排出シュート６９を精米装置３０の左右方向に配設されたパネル６４，６５に設けると、色彩選別機内の色選タンクや計量機ユニット内の製品タンクと排出シュート６９との間を直線状の管で繋ぐときに障害となる物がなくなる。従って、本願の穀物調整装置１は、色彩選別機や計量機ユニットの設置場所に柔軟に対応して精米装置３０と色彩選別機や計量機ユニットとを直線状の管で連通することができ、使い勝手が極めて良い。
【００４５】
なお、石抜装置１０は、精米装置３０の精米側ホッパ３３内の玄米の有無によってオンオフ作動するようにしてもよい。この場合には、図２に示すように、精米側ホッパ３３にホッパ内の玄米の有無を検知するセンサ７３を設け、このセンサ７３からの検知信号に応じて石抜装置１０の作動を制御する制御装置７５を設ける（図面では石抜装置１０内に制御装置７５が設けられている）。なお、制御装置７５は、精米装置３０内に設けられてもよい。この制御装置７５は、精米側ホッパ３３内に玄米がない旨の検知信号をセンサ７３から受け取ると、石抜装置１０を運転状態にし、精米側ホッパ３３内に玄米がある旨の信号をセンサ７３から受け取ると、石抜装置１０を停止状態にするように、石抜装置１０の作動を制御する。
【００４６】
このように、精米側ホッパ３３内の玄米の有無によって石抜装置１０の作動を制御することにより、精米側ホッパ３３内に玄米がないときに石抜装置１０が停止状態にあったり、精米側ホッパ３３内に玄米がある状態で石抜装置１０が運転状態にあったりする事態を未然に防止することができる。このため、精米作業が途切れたり、精米側ホッパ３３内の玄米が溢れたりする事態を防止することができ、穀物調整装置１による精米作業の作業性を向上することができる。
【図面の簡単な説明】
【００４７】
【図１】本発明の一実施の形態に係わる穀物調整装置の石抜装置を精米装置の左側に設置した場合の穀物調整装置の斜視図を示す。
【図２】本発明の一実施の形態に係わる穀物調整装置の一部である精米装置の内部構造図を示す。
【図３】精米装置内の搗精部等を取り付けた枠組みと搬送部を左右方向に反転して設置した精米装置の内部構造図を示す。
【図４】本発明の一実施の形態に係わる穀物調整装置の搗精部を示し、同図（ａ）は搗精部に取り付けられる横送り機構部の内部構造図であり、同図（ｂ）は搗精部の断面図である。
【図５】本発明の一実施の形態に係わる穀物調整装置の石抜装置を精米装置の右側に設置した場合の穀物調整装置の斜視図を示す。
【図６】従来の穀物調整装置の斜視図を示す。
【符号の説明】
【００４８】
１  穀物調整装置
１０  石抜装置
１１  本体部
１１ｂ  前板
１１ｃ  後板
１２  張込板
１５  石抜側ホッパ
３０  精米装置
３１  搬送部
３１ａ  吐出口
３３  精米側ホッパ
３３ｂ  接続口
３５  搗精部
５０  小米取り部
７３  センサ（玄米有無検知手段）
７５  制御装置
【図１】
2008290040.tif 000003
【図２】
2008290040.tif 000004
【図３】
2008290040.tif 000005
【図４】
2008290040.tif 000006
【図５】
2008290040.tif 000007
【図６】
2008290040.tif 000008